【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
沈降性成分を含有する血液試料を収容するための側壁を有する生体試料保持部と、
該生体試料保持部に固定された電気伝導部と、
を少なくとも備え、
前記電気伝導部の一部が前記生体試料保持部に埋入された状態で、前記生体試料保持部と前記電気伝導部が一体成形され、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置された血液試料の電気的測定用容器。
【請求項２】
前記生体試料保持部は、樹脂からなる請求項１記載の電気的測定用容器。
【請求項３】
前記樹脂は、ポリプロピレン、ポリスチレン、アクリル、およびポリサルホンから選ばれる一種以上の樹脂である請求項２に記載の電気的測定用容器。
【請求項４】
前記電極部が一対以上備えられた請求項１から３のいずれか一項に記載の電気的測定用容器。
【請求項５】
前記一対の電極部は、略平行に配置された請求項４記載の電気的測定用容器。
【請求項６】
前記電極部は、前記電気的測定用容器の内壁の一部を構成する請求項１から５のいずれか記載の電気的測定用容器。
【請求項７】
前記内壁において、前記生体試料保持部と前記電極部との接続部が平滑である請求項６記載の電気的測定用容器。
【請求項８】
前記電極部は、測定時に底部となる部分から所定距離上側に位置する請求項１から７のいずれか一項に記載の電気的測定用容器。
【請求項９】
前記電極部は、測定時に頂部となる部分から所定距離下側に位置する請求項１から８のいずれか一項に記載の電気的測定用容器。
【請求項１０】
前記電気伝導部の少なくとも一部は、前記一体成形時に前記電気伝導部を前記生体試料保持部の所定箇所に配置させるための保持部として機能する請求項１から９のいずれか一項に記載の電気的測定用容器。
【請求項１１】
前記電極部は、測定時に底部となる部分からの前記沈降性成分の累積堆積分率が体積分率以上となる位置より上側に位置する請求項１から１０のいずれか一項に記載の電気的測定用容器。
【請求項１２】
測定に最低限必要な時間を経た時における血清層の下限よりも、電極部の上限が下方に位置する請求項１から１１のいずれか一項に記載の電気的測定用容器。
【請求項１３】
前記電気伝導部の前記生体試料保持部に埋入された部分に、曲折部を備える請求項１から１２のいずれか一項に記載の電気的測定用容器。
【請求項１４】
蓋部を有する請求項１から１３のいずれか一項に記載の電気的測定用容器。
【請求項１５】
生体試料保持部は、円筒体、断面が多角の多角筒体、円錐体、断面が多角の多角錐体、或いはこれらを１種または２種以上組み合わせた形態である請求項１から１４のいずれか一項に記載の電気的測定用容器。
【請求項１６】
前記電気伝導部は、チタンを含む電気伝導性素材からなる請求項１から１５のいずれか一項に記載の電気的測定用容器。
【請求項１７】
前記生体試料の誘電率を測定するために用いられる請求項１から１６のいずれか一項に記載の電気的測定用容器。
【請求項１８】
前記生体試料のインピーダンスを測定するために用いられる請求項１から１７のいずれか一項に記載の電気的測定用容器。
【請求項１９】
血沈状況を測定するために用いられる請求項１から１８のいずれか一項に記載の電気的測定用容器。
【請求項２０】
血液凝固状況を測定するために用いられる請求項１から１９のいずれか一項に記載の電気的測定用容器。
【請求項２１】
沈降性成分を含有する血液試料を収容するための側壁を有する生体試料保持部と、
測定時において少なくとも一部が前記生体試料と接触する電気伝導部と、
該電気伝導部に電圧を印加する印加部と、
前記生体試料の電気的特性を測定する測定部と、
を少なくとも備え、
前記電気伝導部の一部が前記生体試料保持部に埋入された状態で、前記生体試料保持部と前記電気伝導部が一体成形され、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置された血液試料の電気的測定装置。
【請求項２２】
沈降性成分を含有する血液試料を収容するための側壁を有する生体試料保持部と、
該生体試料保持部に固定された電気伝導部と、を少なくとも備え、
前記電気伝導部の一部が前記生体試料保持部に埋入された状態で、前記生体試料保持部と前記電気伝導部が一体成形され、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置された血液試料の電気的測定用容器を用いて、前記生体試料の電気的特性を測定する液体状の生体試料の電気的測定方法。
【手続補正２】
【補正対象書類名】明細書
【補正対象項目名】００１３
【補正方法】変更
【補正の内容】
【００１３】
即ち、本技術では、まず、沈降性成分を含有する血液試料を収容するための側壁を有する生体試料保持部と、
該生体試料保持部に固定された電気伝導部と、
を少なくとも備え、
前記電気伝導部の一部が前記生体試料保持部に埋入された状態で、前記生体試料保持部と前記電気伝導部が一体成形され、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置された血液試料の電気的測定用容器を提供する。
本技術に係る電気的測定用容器は、電気伝導部の一部を生体試料保持部に埋入した状態で、電気伝導部と生体試料保持部を一体成形するため、粘着剤を用いずに、電気伝導部を生体試料保持部に固定することができる。
前記生体試料保持部は、樹脂で形成することができる。
前記電気伝導部における前記電極部は、測定の目的に応じて自由に配置することができるが、例えば、前記電極部を一対以上備えることも可能である。この場合、前記一対の電極部は、略平行に配置することができる。
また、前記電極部を、前記電気的測定用容器の内壁の一部を構成するように配置することもできる。この場合、前記内壁において、前記生体試料保持部と前記電極部との接続部を平滑に構成することができる。
更に、前記電極部を、測定時に底部となる部分から所定距離上側に位置するように配置することも可能である。また、前記電極部を、測定時に頂部となる部分から所定距離下側に位置するように配置することも可能である。
本技術に係る電気的測定用容器において、前記電気伝導部の少なくとも一部は、前記一体成型時に前記電気伝導部を前記生体試料保持部の所定箇所に配置させるための保持部として機能させることができる。
本技術に係る電気的測定用容器を、沈降性成分を含有する生体試料の電気的測定に用いる場合、前記電極部を、測定時に底部となる部分からの沈降性成分の累積堆積分率が体積分率以上となる位置より上側に位置するように配置することができる。
また、本技術に係る電気的測定用容器を、沈降性成分を含有する血液試料の電気的測定に用いる場合、測定に最低限必要な時間を経た時における血清層の下限よりも、電極部の上限が下方に位置するように配置することができる。
本技術に係る電気的測定用容器において、前記電気伝導部の前記生体試料保持部に埋入された部分には、曲折部を備えることができる。
本技術に係る電気的測定用容器には、蓋部を備えることもできる。
前記生体試料保持部は、円筒体、断面が多角の多角筒体、円錐体、断面が多角の多角錐体、或いはこれらを１種または２種以上組み合わせた形態に設計することができる。
本技術に係る電気的測定用容器に用いる前記樹脂の種類は特に限定されないが、例えば、ポリプロピレン、ポリスチレン、アクリル、およびポリサルホンから選ばれる一種以上の樹脂を用いることができる。
また、本技術に係る電気的測定用容器において、前記電気伝導部に用いる電気伝導性を有する材料は特に限定されないが、例えば、チタンを含む電気伝導性素材を用いることができる。
本技術に係る電気的測定用容器は、あらゆる電気的測定に用いることができるが、例えば、前記生体試料の誘電率や前記生体試料のインピーダンスを測定するために用いることができる。
より具体的な一例を挙げると、血液成分を含む生体試料を用いる場合、血沈状況や血液凝固状況を測定するために、本技術に係る電気的測定用容器を用いることができる。
【手続補正３】
【補正対象書類名】明細書
【補正対象項目名】００１４
【補正方法】変更
【補正の内容】
【００１４】
本技術に係る電気的測定用容器は、電気的測定装置の一部として好適に用いることができる。
具体的には、沈降性成分を含有する血液試料を収容するための側壁を有する生体試料保持部と、
測定時において少なくとも一部が前記生体試料と接触する電気伝導部と、
該電気伝導部に電圧を印加する印加部と、
前記生体試料の電気的特性を測定する測定部と、
を少なくとも備え、
前記電気伝導部の一部が前記生体試料保持部に埋入された状態で、前記生体試料保持部と前記電気伝導部が一体成形され、
前記電気伝導部は、測定時に前記血液試料と接触する電極部と、外部回路と電気的に接続するための接続部と、を少なくとも備え、
前記電極部は、前記生体試料保持部において、前記側壁と平行する方向に配置された血液試料の電気的測定装置を提供する。